(57)【要約】【課題】  メルカプタン等の硫黄化合物やアミン等の窒素化合物などの臭気を効率よく消臭することができる消臭剤を提供すること【解決手段】  没食子酸、タンニン酸及びカフェイン酸から選ばれる少なくとも１種を消臭有効成分として含有するｐＨ値が５．０〜９．５の溶液からなる消臭剤であって、前記溶液における緩衝剤の濃度が０．０１ｍｏｌ／Ｌ未満であることを特徴とする。溶液の緩衝作用が強いと、消臭効果が低下する。【特許請求の範囲】
【請求項１】
没食子酸、タンニン酸及びカフェイン酸から選ばれる少なくとも１種を消臭有効成分として含有するｐＨ５．０〜９．５の溶液からなる消臭剤であって、前記溶液における緩衝剤の濃度が０．０１ｍｏｌ／Ｌ未満であることを特徴とする消臭剤。
【請求項２】
消臭有効成分が没食子酸であることを特徴とする請求項１記載の消臭剤。
【請求項３】
硫黄化合物及び／又は窒素化合物のうち少なくとも１種の化合物を消臭することができることを特徴とする請求項１又は２記載の消臭剤。
【請求項４】
請求項１〜３のいずれか記載の消臭剤を収納した収納体を備えたことを特徴とする消臭具。
【請求項５】
収納体が、容器、袋又はスプレー容器であることを特徴とする請求項４記載の消臭具。
【請求項６】
請求項１〜３のいずれか記載の消臭剤を担持した担持体を備えたことを特徴とする消臭具。
【請求項７】
担持体が、繊維状体又は多孔質体であることを特徴とする請求項６記載の消臭具。
【発明の詳細な説明】
【技術分野】
【０００１】
本発明は、生ゴミ臭、台所臭、冷蔵庫内臭、室内臭、トイレ臭、人体臭、ペット臭、ペットの糞尿臭等の主因であるメルカプタン等の硫黄化合物やアミン等の窒素化合物などの臭気を効率よく消臭することができる消臭剤や、これを収納した消臭具に関する。
【背景技術】
【０００２】
従来からピロカテコール、ピロガロール、没食子酸、プロトカテチユ酸等を有効成分とする消臭剤が知られている（特許文献１）。また、ピロカテコール、没食子酸等を有効成分として、リン酸水溶液等の水素イオン濃度を所定の範囲に保つ緩衝作用を持つものからなる消臭剤が知られている（特許文献２）。
【０００３】
【特許文献１】特開昭６０−１４５１４８号
【特許文献２】特開昭６１−７６１６２号  しかしながら、これまで開示されている没食子酸等を有効成分とする消臭剤の消臭力は、必ずしも満足いくものではなかった。
【発明の開示】
【発明が解決しようとする課題】
【０００４】
本発明の課題は、メルカプタン等の硫黄化合物やアミン等の窒素化合物などの臭気を効率よく消臭することができる消臭剤を提供することにある。
【課題を解決するための手段】
【０００５】
本発明者らは、上記課題を解決するために鋭意研究し、ピロカテコール、ピロガロール、没食子酸、プロトカテチユ酸等の従来公知の消臭成分について再度その組成や使用条件について検討することとした。その結果、没食子酸がメルカプタン等の硫黄化合物やアミン等の窒素化合物の消臭に最も有効であるとの結論に達した。没食子酸を有効成分とするリン酸等の緩衝溶液からなる従来公知の消臭剤の消臭効果は優れているものの、メルカプタン等の硫黄化合物やアミン等の窒素化合物に対する消臭効果においては十分に満足しうるものとはいえないことがわかった。没食子酸は中性〜アルカリ側で解離し、その酸化力により消臭作用を発揮するといわれている。そこで、緩衝液の種類や最適ｐＨ範囲について検討したが、よい結果が得られなかったので、反対に、溶液のｐＨを酸性側にしてみたり、緩衝能をもたない溶液とした場合の消臭力の低下の程度を調べてみたところ、意外にも、緩衝能を有さないｐＨ７．０付近の溶液としたときに、リン酸等の緩衝溶液からなる従来公知の消臭剤では得ることができなかった、メルカプタン等の硫黄化合物やアミン等の窒素化合物に対する消臭効果が得られることを見い出した。本発明はこのような過程を経て完成するに至ったものである。
【０００６】
すなわち本発明は、没食子酸、タンニン酸及びカフェイン酸から選ばれる少なくとも１種を消臭有効成分として含有するｐＨ５．０〜９．５の溶液からなる消臭剤であって、前記溶液における緩衝剤の濃度が０．０１ｍｏｌ／Ｌ未満であることを特徴とする消臭剤、すなわち、没食子酸、タンニン酸及びカフェイン酸から選ばれる少なくとも１種を消臭有効成分として含有する溶液からなる消臭剤であって、該溶液が、消臭有効成分以外の成分として、緩衝剤の濃度が０．０１ｍｏｌ／Ｌ未満である、ｐＨ値が５．０〜９．５の溶液であることを特徴とする消臭剤（請求項１）や、消臭有効成分が没食子酸であることを特徴とする請求項１記載の消臭剤（請求項２）や、硫黄化合物及び／又は窒素化合物のうち少なくとも１種の化合物を消臭することができることを特徴とする請求項１又は２記載の消臭剤（請求項３）に関する。
【０００７】
また、本発明は、請求項１〜３のいずれか記載の消臭剤を収納した収納体を備えたことを特徴とする消臭具（請求項４）や、収納体が、容器、袋又はスプレー容器であることを特徴とする請求項４記載の消臭具（請求項５）や、請求項１〜３のいずれか記載の消臭剤を担持した担持体を備えたことを特徴とする消臭具（請求項６）や、担持体が、繊維状体又は多孔質体であることを特徴とする請求項６記載の消臭具（請求項７）に関する。
【発明の効果】
【０００８】
本発明の没食子酸、タンニン酸及びカフェイン酸を有効成分とする消臭剤は、従来公知の没食子酸、タンニン酸及びカフェイン酸を有効成分とする消臭剤と比較して、メルカプタン等の硫黄化合物や、アミン等の窒素化合物等の悪臭成分に対する消臭力に優れるので、生ゴミ臭、台所臭、冷蔵庫内臭、室内臭、トイレ臭、人体臭、ペット臭、ペットの糞尿臭等悪臭成分に対して有効に対応することができる。
【発明を実施するための最良の形態】
【０００９】
本発明の消臭剤に消臭有効成分として含有される没食子酸、タンニン酸及びカフェイン酸は、アミン類及びメルカプタン類等の悪臭成分を消臭するための有効成分であり、没食子酸、タンニン酸及びカフェイン酸は、１種単独で又は２種以上混合して使用してもよい。これらのうち、アミン類及びメルカプタン類等の悪臭成分をより効果的に消臭する観点から没食子酸を使用するのが好ましい。
【００１０】
本発明の消臭剤は、溶液のｐＨ値が５．０〜９．５の範囲であることを特徴とするが、ｐＨ値の調節方法としては溶液のｐＨ値を５．０〜９．５の範囲に調節するものであれば特に制限されない。このような調節方法としては、例えば、塩基を添加してｐＨ値を５．０〜９．５の範囲に調節することが挙げられる。また、塩基としては、水酸化ナトリウム、水酸化カリウム、水酸化カルシウム等の水酸化物；炭酸ナトリウム、炭酸カリウム、炭酸カルシウム等の炭酸塩；酢酸ナトリウム、酢酸カリウム等の酢酸塩；トリエチルアミン、ジエタノールアミン等のアミン類などが挙げられる。前記塩基の使用量は用いる塩基の種類によっても異なるが、本発明の消臭剤のｐＨ値を５．０〜９．５の範囲に調節するために適宜選択される。
【００１１】
本発明の消臭剤は、通常ｐＨ値が５．０〜９．５の範囲であるが、好ましくは、５．５〜９．５であり、より好ましくは、６．０〜９．５であり、特に好ましくは、６．３〜９．５の範囲である。
【００１２】
本発明の消臭剤は、没食子酸、タンニン酸及びカフェイン酸から選ばれる少なくとも１種を消臭有効成分として含有するｐＨ５．０〜９．５の溶液からなる消臭剤であって、上記溶液における緩衝剤の濃度が０．０１ｍｏｌ／Ｌ未満であることを特徴とする。ここで、「緩衝剤」とは、溶液のｐＨ値を一定に保つ作用を有するものであり、一般に酸とその塩、塩基とその塩の混合物であり、例えば、ホウ酸アルカリ金属塩、ホウ酸アルカリ土類金属塩等のホウ酸塩（ホウ酸ナトリウム、テトラホウ酸カリウム、メタホウ酸カリウム等）、リン酸アルカリ金属塩、リン酸アルカリ土類金属塩等のリン酸塩（リン酸ナトリウム、リン酸水素ナトリウム、リン酸二水素ナトリウム、リン酸二水素カリウム等）などである。
【００１３】
本発明の消臭剤は、消臭有効成分以外の成分を含有していてもよいが、溶液のｐH値を一定に保つ目的で緩衝剤を含有させると、アミン類及びメルカプタン類等の悪臭成分を消臭する能力を阻害することになり、本発明の消臭剤においては、このような消臭阻害要因である緩衝剤の濃度が０．０１ｍｏｌ／Ｌ未満、好ましくは、０．００１ｍｏｌ／Ｌ未満、より好ましくは、０．０００１ｍｏｌ／Ｌ未満とすることが、消臭効果をより発揮するうえで効果的である。
【００１４】
本発明の消臭剤は、水に成分が溶解した液剤として使用するが、本発明の消臭剤の効果を阻害しない範囲でメタノール、エタノール、プロパノール等のアルコール類、イソプロピルエーテル、塩化メチレン等の揮発性溶媒を含有していてもよい。
【００１５】
また、本発明の消臭剤は、液剤として使用するが、このときの消臭有効成分の濃度は、０．３〜５重量％、好ましくは０．５〜３．５重量％、より好ましくは０．７〜２．５重量％の範囲である。
【００１６】
本発明の消臭剤には、高温、低温における安定性のための公知の安定化剤や、必要に応じて界面活性剤等を含有させることができる。
【００１７】
本発明の消臭剤には、必要に応じて香料を含有させることができ、消臭と同時に芳香効果を奏するものとすることもできる。かかる香料としては、ミント系香料として、１−カルボン、１−メントン、１−メントールや、ハッカオイル、ペパーミントオイル、スペアミントオイル等の天然精油を挙げることができ、柑橘系香料として、リモネン、シトラール、ジハイドロミセノールや、レモンオイル、オレンジオイル、ライムオイル、グレープフルーツオイル、ベルガモットオイル、レモングラスオイル等の天然精油を挙げることができる。またハーブ系香料として、メチルサリシレート、チモール、１，８−シネオール、リナロール、シトネロール、ゲラニオール、テルピネオール、カンファーや、ユーカリプタスオイル、ゼラニウムオイル、シトロネラオイル等の天然精油を挙げることができ、ウッディー系香料として、ａ，ｂ−ピネンや、ヒノキオイル、セダーオイル、パインオイル、ヒバオイル等の天然精油を挙げることができる。
【００１８】
その他、本発明の消臭剤に含有させ得る香料としては、例えば、アルコール系香料として、シス−３−ヘキセノール、テトラヒドロリナロール、β−フェニルエチルアルコール、シンナミックアルコール、アニスアルコール、ジメチルベンジルカルビノール、フェノキシエチルアルコール、サビネンハイドレート、バクダノール、サンダロール等を挙げることができ、エーテル系香料として、ガラクソリド、ローズオキサイド、リナロールオキサイド、セドランバー、ジベンジルエーテル、アンブロキサン、ジフェニールオキサイド、β−ナフトールメチルエーテル、β−ナフトールエチルエーテル等を挙げることができ、アルデヒド系香料として、シス−３−ヘキセナール、オクタナール、ノナナール、デカナール、ペリラアルデヒド、α−ヘキシルシンナミックアルデヒド、ヘリオナール、リリアール、バニリン、トリプラール等を挙げることができ、ケトン系香料として、ヨノン、メチルヨノン、トナリド、ムスコン、シクロペンタデカノン、カシュメラン、ダマスコン、ダマセノン、シスジャスモン等を挙げることができ、エステル系香料として、酢酸シトロネリル、酢酸ゲラニル、酢酸ネリル、酢酸ベンジル、酢酸テルピニル、酢酸エチル、酢酸プロピル、酢酸ブチル、酢酸アミル、酢酸ボルニル、酢酸メンチル、酢酸−ｐ−ｔｅｒｔ−ブチルシクロヘキシル、酢酸−ｏ−ｔｅｒｔ−ブチルシクロヘキシル、酢酸フェニルエチル、酢酸スチラリル等を挙げることができ、炭化水素系香料として、ジフェニールメタン、ミルセン、サビネン等を挙げることができ、ラクトン系香料として、クマリン、γ−ウンデカラクトン、シクロペンタデカノリド、γ−ノナラクトン等を挙げることができる。
【００１９】
上記香料のうち、１−カルボン、ゲラニオール、シトラール、チモール、１，８−シネオール、ペパーミントオイル、スペアミントオイル、レモングラス、ヒバオイル等抗菌作用を有する香料は、例えば、生ゴミや、衣服等の繊維製品の消臭に使用する場合、生ゴミや、衣服に付着した皮脂・汗成分等に細菌の繁殖を抑制することができ、これらの細菌等の繁殖による悪臭の発生も抑制することができるため、本発明の消臭剤に含有させる香料として好ましい。これらの香料は１種を使用してもよいが、２種以上を混合した調合香料は相乗効果を有するため好ましい。かかる香料の消臭剤中の含有量は必要に応じて適宜選択することができ、例えば、数重量％〜４０重量％等とすることができる。
【００２０】
本発明の消臭剤は硫黄化合物及び／又は窒素化合物のうち少なくとも一種の化合物を消臭することができる。かかる硫黄化合物としては、硫化水素等の無機化合物や、メルカプタン等の有機化合物を挙げることができ、窒素化合物としては、アンモニア等の無機化合物や、アミン等の有機化合物を挙げることができる。硫黄化合物や窒素化合物は、トイレ臭、生ゴミ臭、台所臭、冷蔵庫内臭、室内臭、自動車内臭、人体臭、ペット臭、ペットの糞尿臭等の主因となる化合物であり、本発明の消臭剤によりこれらの悪臭を短時間のうちに効率よく消臭することができる。
【００２１】
本発明の消臭剤には、その他、任意成分として、没食子酸、タンニン酸及びカフェイン酸と反応性のない、例えば、防腐・防黴剤、殺菌剤、色素、酸化防止剤、増粘剤、紫外製吸収剤等を含有させることができる。また、本発明の消臭剤に、没食子酸、タンニン酸及びカフェイン酸と反応性のない他の消臭剤や脱臭剤を含有させることもできる。
【００２２】
本発明の消臭具としては、上記本発明の消臭剤を収納した収納体や、上記本発明の消臭剤を担持した担持体を備えたものであれば、特に限定されるものではない。本発明の消臭具に適用される収納体としては、容器、袋又はスプレー容器等を挙げることができる。かかる容器としては、液状の消臭剤を収納可能であって、没食子酸、タンニン酸及びカフェイン酸の蒸気を透過させ得る容器であればいずれのものであってもよく、例えば、通気孔を設けた蓋を有するものや、開口部を没食子酸、タンニン酸及びカフェイン酸の蒸気を透過させ得る布、不織布、有孔フィルムで被覆したものや、又は、薬液中に吸い上げ芯を挿入し、毛細管現象により吸い上げて揮散させるものであってもよい。
【００２３】
また、上記収納体に適用される袋としては、没食子酸、タンニン酸及びカフェイン酸の蒸気を透過可能であればよく、形状、大きさを問わずいずれのものであってもよい。かかる袋の材質としては、天然繊維製の布や不織布、有孔フィルム等いずれのものであってもよい。このような容器や袋を備えた消臭具は、台所、冷蔵庫、部屋、トイレ、自動車等被消臭物の内部や、生ゴミの収納容器の周囲に付置したり、容器や袋に係止手段や、接着剤等の固定手段を設け、被消臭物に付着させて使用することができる。
【００２４】
また、本発明の消臭剤の収納体として適用されるスプレー容器としては、内部に収納した液状の消臭剤を噴霧できる容器であれば、いずれのタイプのものも適用することができ、公知のトリガータイプや、ディスペンサータイプ等のもの等いずれのものも適用することができる。このようなスプレー容器を備えた消臭具は、液状の消臭剤を台所、冷蔵庫、部屋、トイレ、自動車等の空間に噴霧し、空気中の臭いを消臭したり、生ゴミ、人体、ペット等臭いの発生源や、衣服、カーテン、壁、床等に液状の消臭剤を霧状にして直接付着させ消臭効果を得るように使用することができる。
【００２５】
本発明の消臭具に適用される担持体としては、繊維状体又は多孔質体等を挙げることができる。かかる繊維状体としては、液状の本発明の消臭剤を担持できる布、不織布又は天然繊維や合成繊維の繊維塊等を挙げることができ、多孔質体としては、液状の本発明の消臭剤を担持することができる多孔質セラッミック、合成樹脂製スポンジ等を挙げることができる。これら繊維状体や多孔質体の担持体を備えた消臭具は、繊維状体や多孔質体に液状の消臭剤を吸収させ、台所、冷蔵庫、部屋、トイレ、自動車等被消臭物の内部や、生ゴミの収納容器の周囲に付置したり、これらに係止手段や、接着剤等の固定手段を設け、被消臭物に付着させて消臭効果を奏させて使用することができる。
【００２６】
本発明の消臭剤の消臭方法としては、上記本発明の消臭剤を用いる方法であれば、特に制限されるものではなく、上記消臭具を用いて消臭する他、液状の消臭剤を被消臭物に塗布したり、また、液状の消臭剤に被消臭物を浸漬させる方法等を挙げることができる。塗布する方法としては、液状の消臭剤をコーター、コーティングナイフ、ブラシ等により、被消臭物、例えば、壁紙、カーテン等に塗布することができる。また、浸漬させる方法としては、液状の消臭剤に被消臭物、例えば、流しで使用する三角コーナ等のゴミ収納容器や、衣服、カーテン等を浸漬させることができる。
【実施例】
【００２７】
以下、実施例により本発明をより具体的に説明するが、本発明の技術的範囲はこれらの例示に限定されるものではない。
【００２８】
実施例１
（消臭用製剤の調製）
下記の第１表に示す重量組成で消臭用製剤Ａ〜Ｆ及び比較製剤を調製した。
【００２９】
【表１】
2005270453.tif 000002
【００３０】
実施例２
（消臭試験）
悪臭ガス発生源として、エチルメルカプタン１．９ｇのメタノール１００ｍＬ溶液と、イソプロピルアミン１．８ｇのメタノール１００ｍＬ溶液を調製した。
【００３１】
３Ｌ−テドラーバッグに実施例１で調製した消臭用製剤Ａ〜Ｆ及び比較製剤のそれぞれのサンプル１．０ｇを入れた内径６０ｍｍのシャーレを入れ、空気を抜いた後、注射筒により３Ｌの空気を入れ、その後、上記悪臭ガス発生源の溶液を４０μＬずつ注入した。悪臭ガスの濃度の経時変化をガス検知管で測定した。測定値から悪臭ガスの残存率を算出した。結果を表２に示す。
【００３２】
【表２】
2005270453.tif 000003